(57)【要約】【目的】広告主が制作費を拠出するインターネット放送において、番組の制作予算を番組制作打診者の要求に応じて概算算出するシステムを提供する。【構成】数種類の予算カテゴリを打診者の閲覧に供する予算カテゴリデータベースと、前記予算カテゴリ別にコンテンツの例示を打診者の閲覧に供する予算別コンテンツ例データベースと、契約打診データを打診者から受信する契約打診受信手段と、その契約打診受信手段が契約打診データを受信した場合に、打診者に対して注意事項のデータを送信する注意事項送信手段とを備えた放送番組予算概算システムとする。制作を打診する放送番組に関する希望や条件についての希望・条件データを打診者から受信する希望・条件データ受信手段と、受信した希望・条件データに基づいたコンセプトデータを抽出するコンセプト抽出手段とを備えてもよい。【選択図】    図１
2004318468.tif 000002
【特許請求の範囲】
【請求項１】
放送番組の制作予算を番組制作打診者の要求に応じて概算算出するシステムであって、
数種類の予算カテゴリを打診者の閲覧に供する予算カテゴリデータベースと、
前記予算カテゴリ別にコンテンツの例示を打診者の閲覧に供する予算別コンテンツ例データベースと、
契約打診データを打診者から受信する契約打診受信手段と、
その契約打診受信手段が契約打診データを受信した場合に、打診者に対して注意事項のデータを送信する注意事項送信手段とを備えた放送番組予算概算システム。
【請求項２】
放送番組の制作予算を番組制作打診者の要求に応じて概算算出するシステムであって、
放送番組の表現形式に関する表現カテゴリと、番組の放送時間に関する時間カテゴリと、出演者のレベルに関する出演者カテゴリとを少なくとも選択するように打診者へ提示する選択提示手段と、
その選択提示手段によって提示された選択肢についての選択データを打診者から受信する選択データ受信手段と、
その受信した選択データに基づいて放送番組の制作予算を演算して打診者へ提示する予算演算手段とを備えた放送番組予算概算システム。
【請求項３】
制作を打診する放送番組に関する希望や条件についての希望・条件データを打診者から受信する希望・条件データ受信手段と、
受信した希望・条件データに基づいたコンセプトデータを抽出するコンセプト抽出手段と、
抽出されたコンセプトデータを打診者へ送信するコンセプトデータ送信手段とを備えた請求項１または請求項２のいずれかに記載の放送番組予算概算システム。
【請求項４】
コンセプトデータを受信した打診者からコンセプトの修正・希望のデータを受信する修正・希望データ受信手段と、
その修正・希望のデータおよびコンセプトデータに基づいて制作された放送番組を倫理審査者へ送信する倫理用送信手段とを備えた請求項３記載の放送番組予算概算システム。
【請求項５】
放送番組の制作を番組制作依頼打診者の予算に応じて番組内容の概略を算出するシステムであって、
制作予算データを打診者から受信する予算データ受信手段と、
放送番組の表現形式に関する表現カテゴリと、番組の放送時間に関する時間カテゴリと、出演者のレベルに関する出演者カテゴリとの中から少なくともいずれかひとつを選択肢の中から決定するように打診者へ提示する選択提示手段と、
その選択提示手段によって提示された選択肢についての選択データを打診者から受信する選択データ受信手段と、
その受信した選択データおよび予算データに基づいて、選択されなかった選択肢を仮決定した番組内容の概略を算出して打診者へ提示する番組概略算出手段とを備えた放送番組内容概算システム。
【請求項６】
制作を打診する放送番組に関する希望や条件についての希望・条件データを打診者から受信する希望・条件データ受信手段と、
受信した希望・条件データに対するコンセプトデータを打診者へ送信するコンセプトデータ送信手段とを備えた請求項５に記載の放送番組予算概算システム。
【請求項７】
コンセプトデータを受信した打診者からコンセプトの修正・希望のデータを受信する修正・希望データ受信手段と、
その修正・希望のデータに基づいて制作した放送番組を倫理審査者へ送信する倫理用送信手段とを備えた請求項６記載の放送番組予算概算システム。
【請求項８】
放送番組の制作予算を番組制作打診者の要求に応じて概算算出する方法であって、
数種類の予算カテゴリを打診者の閲覧に供する予算カテゴリデータ提供手順と、
前記予算カテゴリ別にコンテンツの例示を打診者の閲覧に供する予算別コンテンツ例データ提供手順と、
契約打診データを打診者から受信する契約打診受信手順と、
その契約打診受信手順にて契約打診データを受信した場合に、打診者に対して注意事項のデータを送信する注意事項送信手順とを備えた放送番組予算概算方法。
【請求項９】
放送番組の制作予算を番組制作打診者の要求に応じて概算算出する方法であって、
放送番組の表現形式に関する表現カテゴリと、番組の放送時間に関する時間カテゴリと、出演者のレベルに関する出演者カテゴリとを少なくとも選択するように打診者へ提示する選択提示手順と、
その選択提示手順にて提示された選択肢についての選択データを打診者から受信する選択データ受信手順と、
その受信した選択データに基づいて放送番組の制作予算を演算して打診者へ提示する予算演算手順とを備えた放送番組予算概算方法。
【請求項１０】
放送番組の制作を番組制作依頼打診者の予算に応じて番組内容の概略を算出する方法であって、
制作予算データを打診者から受信する予算データ受信手順と、
放送番組の表現形式に関する表現カテゴリと、番組の放送時間に関する時間カテゴリと、出演者のレベルに関する出演者カテゴリとの中から少なくともいずれかひとつを選択肢の中から決定するように打診者へ提示する選択提示手順と、
その選択提示手順にて提示された選択肢についての選択データを打診者から受信する選択データ受信手順と、
その受信した選択データおよび予算データに基づいて、選択されなかった選択肢を仮決定した番組内容の概略を算出して打診者へ提示する番組概略算出手順とを備えた放送番組内容概算方法。
【発明の詳細な説明】
【０００１】
【発明が属する技術分野】
本発明は、インターネット放送に関する。更に詳しくは、インターネット放送の番組制作や広告制作を依頼する者に対して予算算出やコンテンツ概要を把握しやすいように提供する技術に関する。
【先行技術】
【０００２】
インターネットを用いた情報配信は、企業における広報活動、広告宣伝活動の一環として定着している。企業側としては、いわゆる「待ち」の姿勢であるが、今や大切な活動の一環として広く認知されている。
【０００３】
情報通信技術の進歩に伴い、インターネットを用いた放送局というコンセプトも誕生しつつある。動画および音声のデジタルデータによって放送番組を制作して公開するものである。光ファイバーなどのインフラストラクチャーの整備や、受信側の端末装置のパフォーマンス向上などに伴って動画放送が可能となり、実現しつつある。
関連する先行技術としては、例えば、特開２００２−３５４４５１号公報には、受信端末をテレビのように自動受信やチャンネル選択を可能とする「ストリーミング放送システム」に関する技術が開示されている。
【０００４】
【特許文献１】
特開２００２−３５４４５１号公報
【０００５】
【発明が解決しようとする課題】
インターネットによって番組放送を行うということをビジネス的に成立させるには、日本国営放送か有線テレビ放送のように受信料を徴収する方式か、番組制作費用を含んだ広告宣伝料を徴収するという「民放方式」があるが、ここでは民放方式にのみ言及する。
【０００６】
テレビ放送における番組放送を用いた広告費用は、全国区なのか地方局のみなのかで費用が大きく異なるものの、新聞の折り込み広告などに比べると格段に高価である。その一方、インターネットによる番組放送を民放方式で行おうとした場合、まだ一般化していないので、番組制作費用を含む広告料がどのくらいの相場であるのか、わかりにくい。
人手を使った営業活動、広報活動や問い合わせ対応によって報知するということも重要であるが、料金の概略や番組の構成概略の問い合わせ対応は自動化できることが望ましい。
【０００７】
（本発明の目的）
本発明が解決すべき課題は、インターネットによる番組放送を広告主による広告料にて運営する場合において、問い合わせ対応を自動化する技術を提供することにある。
請求項１から請求項４記載の発明の目的は、広告主が制作費を拠出するインターネット放送において、放送番組の制作予算を番組制作打診者の要求に応じて概算算出するシステムを提供することである。
また、請求項５から請求項７記載の発明の目的は、放送番組の制作を番組制作依頼打診者の予算に応じて番組内容の概略を算出するシステムを提供することである。
また、請求項８および請求項９記載の発明の目的は、放送番組の制作予算を番組制作打診者の要求に応じて概算算出する方法を提供することである。
また、請求項１０記載の発明の目的は、放送番組の制作を番組制作依頼打診者の予算に応じて番組内容の概略を算出する方法を提供することである。
【０００８】
【課題を解決するための手段】
本発明は、上記した目的を達成するため、インターネットおよび情報通信技術を用いる。
【０００９】
（請求項１）
請求項１記載の発明は、放送番組の制作予算を番組制作打診者の要求に応じて概算算出するシステムに係る。
すなわち、数種類の予算カテゴリを打診者の閲覧に供する予算カテゴリデータベースと、  前記予算カテゴリ別にコンテンツの例示を打診者の閲覧に供する予算別コンテンツ例データベースと、  契約打診データを打診者から受信する契約打診受信手段と、  その契約打診受信手段が契約打診データを受信した場合に、打診者に対して注意事項のデータを送信する注意事項送信手段とを備えた放送番組予算概算システムである。
【００１０】
「放送番組」とは、表現形式で種別すると、動画によるノンフィクション、フィクション、対談、バラエティや、静止画像、フラッシュ（アニメーション）などの種類がある。また、番組の開始前後に放送する広告、番組と一体になった広告も、ここにいう放送番組に含まれるものとする。
「予算カテゴリ」とは、三段階、あるいはそれ以上の段階を提示するものである。
【００１１】
（作用）
まず、予算カテゴリデータベースにて、数種類の予算カテゴリを打診者の閲覧に供する。続いて、予算別コンテンツ例データベースにて、前記予算カテゴリ別にコンテンツの例示を打診者の閲覧に供する。
前記のデータベースを閲覧した打診者は、契約を検討し、契約打診データの送信を行い、その打診者から契約打診データを契約打診受信手段が受信する。契約打診データを受信した場合に、打診者に対して注意事項のデータを注意事項送信手段が送信する。
ここにおいて、番組制作打診者は、放送番組の制作予算に応じた番組のレベルや注意事項を得ることができ、番組制作側は、人手を介することなく広告費用や番組内容の概略を伝えることができる。
【００１２】
（請求項２）
請求項２記載の発明は、放送番組の制作予算を番組制作打診者の要求に応じて概算算出するシステムに係る。
すなわち、放送番組の表現形式に関する表現カテゴリと、番組の放送時間に関する時間カテゴリと、出演者のレベルに関する出演者カテゴリとを少なくとも選択するように打診者へ提示する選択提示手段と、  その選択提示手段によって提示された選択肢についての選択データを打診者から受信する選択データ受信手段と、  その受信した選択データに基づいて放送番組の制作予算を演算して打診者へ提示する予算演算手段とを備えた放送番組予算概算システムである。
【００１３】
（用語説明）
「表現カテゴリ」とは、動画によるノンフィクション、フィクション、対談、バラエティや、静止画像、フラッシュ（アニメーション）などの種類がある。
「時間カテゴリ」とは、放送時間を５分、１０分、３０分といった種類を用意する。連続番組としての本数とともに選べるようにしてもよい。
「出演者カテゴリ」とは、有名な俳優を使う場合、無名な俳優を使う場合、広告主やその社員が出演する場合、一般公募の場合などの種類がある。
なお、表現カテゴリ、時間カテゴリ、出演者カテゴリ以外のカテゴリを用意することもできる。例えば、放送される端末装置についてのカテゴリとして、携帯電話のみ、携帯電話およびパーソナルコンピュータ、パーソナルコンピュータのみ、といった種類である。
【００１４】
（作用）
放送番組の表現形式に関する表現カテゴリと、番組の放送時間に関する時間カテゴリと、出演者のレベルに関する出演者カテゴリとを少なくとも選択するように、選択提示手段が打診者へ提示する。その選択提示手段によって提示された選択肢を打診者が選択して送信し、その選択データを打診者から選択データ受信手段が受信する。その受信した選択データに基づいて予算演算手段が放送番組の制作予算を演算し、打診者へ提示する。
番組制作打診者としては、「選択提示手段」が提示する選択肢を選ぶと、制作予算の相場を掴むことができるので、依頼するか否かの目安ができる。また、番組制作側は、人手を介することなく広告費用や番組内容の概略を伝えることができる。
【００１５】
（請求項３）
請求項３記載の発明は、請求項１または請求項２のいずれかに記載の放送番組予算概算システムを限定したものである。
すなわち、制作を打診する放送番組に関する希望や条件についての希望・条件データを打診者から受信する希望・条件データ受信手段と、  受信した希望・条件データに基づいたコンセプトデータを抽出するコンセプト抽出手段と、  抽出されたコンセプトデータを打診者へ送信するコンセプトデータ送信手段とを備えた放送番組予算概算システムに係る。
【００１６】
（用語説明）
「コンセプト抽出手段」とは、例えば、複数のコンセプトデータを予め用意しておき、希望・条件データを数値化するなどして演算して、用意されたコンセプトデータの中から選択する。また、希望・条件データから演算された結果を用いて、用意されたコンセプトデータを複数組み合わせて作成することとしてもよい。例えば、スポーツシーンは必要だが登場人物は女性に限る、といった希望や条件のデータからは、バレエの練習風景をふんだんに取り入れた番組や広告とする、といったコンセプトを抽出する。
【００１７】
（作用）
制作を打診する放送番組に関する希望や条件についての希望・条件データを、希望・条件データ受信手段が打診者から受信する。受信した希望・条件データに基づいてコンセプト抽出手段がコンセプトデータを抽出し、コンセプトデータ送信手段が打診者へ送信する。ここにおいて、制作される番組に関する希望・条件から自動的にコンセプトを抽出して制作打診者へ伝えることができる。
なお、コンセプトデータを制作打診者に伝える前後には、制作依頼および制作受諾の契約が締結されるか否か、はっきりしている場合がほとんどであると想定される。したがって、前述の「打診者」は、既に広告主となっている場合がほとんどであろう。
【００１８】
（請求項４）
請求項４記載の発明は、請求項３記載の放送番組予算概算システムを限定したものである。
すなわち、コンセプトデータを受信した打診者からコンセプトの修正・希望のデータを受信する修正・希望データ受信手段と、  その修正・希望のデータおよびコンセプトデータに基づいて制作された放送番組を倫理審査者へ送信する倫理用送信手段とを備えた放送番組予算概算システムに係る。
【００１９】
（用語説明）
「倫理審査者」とは、番組制作者でも制作打診者でもない第三者であり、制作された番組について放送することが適切か否かを倫理的な見地から検証する者である。
【００２０】
（作用）
コンセプトデータを受信した打診者からコンセプトの修正・希望のデータを修正・希望データ受信手段が受信する。その修正・希望データを反映させて放送番組が制作される。制作された放送番組はデジタルデータであるので、倫理審査者へ送信可能である。送信された倫理審査者は当該放送番組を視聴して、倫理的な見地から放送の適否を検証する。
【００２１】
（請求項５）
請求項５記載の発明は、放送番組の制作を番組制作依頼打診者の予算に応じて番組内容の概略を算出するシステムに係る。
すなわち、制作予算データを打診者から受信する予算データ受信手段と、  放送番組の表現形式に関する表現カテゴリと、番組の放送時間に関する時間カテゴリと、出演者のレベルに関する出演者カテゴリとの中から少なくともいずれかひとつを選択肢の中から決定するように打診者へ提示する選択提示手段と、  その選択提示手段によって提示された選択肢についての選択データを打診者から受信する選択データ受信手段と、  その受信した選択データおよび予算データに基づいて、選択されなかった選択肢を仮決定した番組内容の概略を算出して打診者へ提示する番組概略算出手段とを備えた放送番組内容概算システムである。
【００２２】
（作用）
まず、予算データ受信手段が制作予算データを打診者から受信する。次に、放送番組の表現形式に関する表現カテゴリと、番組の放送時間に関する時間カテゴリと、出演者のレベルに関する出演者カテゴリとの中から少なくともいずれかひとつを選択肢の中から決定するように、選択提示手段が打診者へ提示する。
その選択提示手段によって提示された選択肢を打診者が選択して送信し、その選択データを打診者から選択データ受信手段が受信する。そして、番組概略算出手段がその受信した選択データおよび予算データに基づいて、選択されなかった選択肢を仮決定し、その番組内容の概略を算出して打診者へ提示する。
番組制作の依頼打診者としては、番組の構成概略や内容に応じた相場を掴めていないことが多い。そのため、予算に応じた番組内容を選ぶに際して、漠然としていることが多い。このような場合に、番組制作の依頼打診者の便宜に供することとなる。
【００２３】
（請求項６）
請求項６記載の発明は、請求項５に記載の放送番組予算概算システムを限定したものである。
すなわち、制作を打診する放送番組に関する希望や条件についての希望・条件データを打診者から受信する希望・条件データ受信手段と、  受信した希望・条件データに対するコンセプトデータを打診者へ送信するコンセプトデータ送信手段とを備えた放送番組予算概算システムに係る。
【００２４】
（作用）
制作を打診する放送番組に関する希望や条件についての希望・条件データを、希望・条件データ受信手段が打診者から受信する。受信した希望・条件データに基づいたコンセプトデータを抽出し、コンセプトデータ送信手段が打診者へ送信する。ここにおいて、制作される番組に関する希望・条件から自動的にコンセプトを抽出して制作打診者へ伝えることができる。
なお、コンセプトデータを制作打診者に伝える前後には、制作依頼および制作受諾の契約が締結されるか否か、はっきりしている場合がほとんどであると想定される。
【００２５】
（請求項７）
請求項７記載の発明は、請求項６に記載の放送番組予算概算システムを限定したものである。
すなわち、コンセプトデータを受信した打診者からコンセプトの修正・希望のデータを受信する修正・希望データ受信手段と、  その修正・希望のデータに基づいて制作した放送番組を倫理審査者へ送信する倫理用送信手段とを備えた放送番組予算概算システムに係る。
【００２６】
（作用）
コンセプトデータを受信した打診者からコンセプトの修正・希望のデータを修正・希望データ受信手段が受信する。その修正・希望データを反映させて放送番組が制作される。制作された放送番組はデジタルデータであるので、倫理審査者へ送信可能である。送信された倫理審査者は当該放送番組を視聴して、倫理的な見地から放送の適否を検証する。
【００２７】
（請求項８）
請求項８記載の発明は、放送番組の制作予算を番組制作打診者の要求に応じて概算算出する方法であって、
数種類の予算カテゴリを打診者の閲覧に供する予算カテゴリデータ提供手順と、  前記予算カテゴリ別にコンテンツの例示を打診者の閲覧に供する予算別コンテンツ例データ提供手順と、  契約打診データを打診者から受信する契約打診受信手順と、  その契約打診受信手順にて契約打診データを受信した場合に、打診者に対して注意事項のデータを送信する注意事項送信手順とを備えた放送番組予算概算方法に係る。
【００２８】
（請求項９）
請求項９記載の発明もまた、放送番組の制作予算を番組制作打診者の要求に応じて概算算出する方法であって、
放送番組の表現形式に関する表現カテゴリと、番組の放送時間に関する時間カテゴリと、出演者のレベルに関する出演者カテゴリとを少なくとも選択するように打診者へ提示する選択提示手順と、  その選択提示手順にて提示された選択肢についての選択データを打診者から受信する選択データ受信手順と、  その受信した選択データに基づいて放送番組の制作予算を演算して打診者へ提示する予算演算手順とを備えた放送番組予算概算方法に係る。
【００２９】
（請求項１０）
請求項１０記載の発明は、放送番組の制作を番組制作依頼打診者の予算に応じて番組内容の概略を算出する方法であって、
制作予算データを打診者から受信する予算データ受信手順と、  放送番組の表現形式に関する表現カテゴリと、番組の放送時間に関する時間カテゴリと、出演者のレベルに関する出演者カテゴリとの中から少なくともいずれかひとつを選択肢の中から決定するように打診者へ提示する選択提示手順と、  その選択提示手順にて提示された選択肢についての選択データを打診者から受信する選択データ受信手順と、  その受信した選択データおよび予算データに基づいて、選択されなかった選択肢を仮決定した番組内容の概略を算出して打診者へ提示する番組概略算出手順とを備えた放送番組内容概算方法に係る。
【００３０】
（プログラム発明）
請求項８，９および１０記載の方法発明を、コンピュータに実行させるためのプログラムに係る発明として提供することが可能である。
【００３１】
【発明の実施の形態】
以下、実施形態および図面に基づいて、本発明をより具体的に説明する。ここで用いる図面は、図１ないし図５である。
【００３２】
（図１）
図１は、インターネット放送に関わる主体等の関係を示した概念図である。広告主がシステム運営者との契約で、放送コンテンツおよび広告コンテンツの制作を依頼し、ウェブサーバを介して視聴者へ放送コンテンツおよび広告コンテンツに提供するものである。
【００３３】
システム運営者には、インターネット放送局、放送コンテンツ制作者、広告コンテンツ制作者、放送コンテンツおよび広告コンテンツの管理などを担当するウェブサーバが含まれる。
なお、放送コンテンツおよび広告コンテンツについての倫理審査を行う倫理審査者は、システム運営者でも広告主でもない第三者の専門家からなる。
また、インターネット放送を受信して視聴する視聴者に係る端末装置は、パーソナルコンピュータの他、携帯情報端末装置、携帯電話なども含まれる。
【００３４】
（図２）
図２は、番組制作を打診する者とシステム運営者との間で行われる情報交換について示している。なお、図中のかっこ書きの数字は、手順の順番を示している。
システム運営者のサーバは、予算カテゴリデータベース（図中「ＤＢ」と略記）と、予算別コンテンツ例データベースとを備え、それぞれのデータベースに格納されたデータを、番組制作を打診する者の閲覧に供している（１，２）。
予算カテゴリデータベースは、予算とその予算に合わせた番組概要とを複数のランクに分けて示している。図示例では、「松竹梅」３つのタイプを示している。「梅タイプ」は、動画によるチラシ型の番組であり、５〜１００万円の予算で制作する旨を紹介している。その他、静止画像による紙芝居形式のタイプや、視聴者に係る端末装置を携帯電話に限ることとした小画面用タイプなどを用意することも可能である。
【００３５】
予算別コンテンツ例データベースでは、前記予算カテゴリーデータベースで紹介しているタイプにおける番組概要をもう少し詳しく紹介するデータを閲覧可能としている。図示例では、「松タイプ」として１回１５分の動画ドラマを５回で完結する連続番組の制作が可能である旨を示している。「竹タイプ」では、動画による１５〜３０分の１回で完結するバラエティ番組の制作が可能である旨を示している。「梅タイプ」では、動画による２〜５分の１回で完結するバラエティ番組の制作が可能である旨を示している。
【００３６】
予算カテゴリデータベースおよび予算別コンテンツ例データベースを、自らに係る端末装置などで閲覧した番組製作打診者は、送信手段を用いて番組製作の契約を打診する（３）。その契約打診は、システム運営者における契約打診受信手段が受信する（４）。受信すると、注意事項データベースから注意事項データを引き出し（５）、注意事項送信手段が注意事項データを送信する（６）。前記の注意事項データベースには、契約についての注意事項を蓄積している。例えば、契約に関するポリシー、放送倫理規定などである。
【００３７】
（図３）
図３は、契約が成立して広告主になった番組制作打診者とシステム運営者との間で行われる情報交換について示している。
広告主は、送信手段を用いて、放送コンテンツおよび広告コンテンツへの希望や条件を送信する。受信した希望・条件データに基づいて、コンセプト抽出手段が適切なコンセプトデータを抽出する。ここで、「コンセプト抽出手段」とは、希望・条件データを項目分けしたり点数化し、予め用意されたコンセプトデータを複数組み合わせて、コンセプトデータを自動的に作成するものである。換言すれば、希望・条件データは、予めフォーマットを用意しておき、点数化およびコンセプトデータの抽出が容易に行えるようにしてある。なお、フォーマットについての詳しい説明は省略する。
【００３８】
抽出されたコンセプトデータを広告主に送信すると、それを受信手段にて受信し、放送コンテンツおよび広告コンテンツについてのコンセプトへの希望や修正を連絡する。このような情報交換によって、放送コンテンツおよび広告コンテンツについての作成コンセプトが固まり、実際の製作に取りかかる。製作は、放送コンテンツ制作者、広告コンテンツ制作者がそれぞれ担当する。
【００３９】
製作された放送コンテンツおよび広告コンテンツは広告主にプレビューして承諾を得た後、システム運営者でも広告主でもない第三者である倫理審査者へ、放送コンテンツおよび広告コンテンツを送信する。制作された放送番組はデジタルデータであるので、倫理審査者へ送信可能である。送信された倫理審査者は当該放送番組を視聴して、倫理的な見地から放送の適否を検証する。この倫理審査者による審査にて問題がなければ、インターネットを介して、放送コンテンツおよび広告コンテンツを放送することができる。放送においては、ストリーミング技術などを用いることによって、視聴者による二次利用を制限する。
【００４０】
（図４）
図４は、ウェブページ上で動画広告予算を自動的に算出するシステムの概要を示すものである。提供される画面に従って、番組制作打診者がプルダウンメニューにて項目を選択していくと、広告費（放送コンテンツおよび広告コンテンツの制作費）を算出できるものである。
【００４１】
まず、表現形式について、「ノンフィクション、ドラマ、対談、バラエティ」の中から選択する。続いて、「静止画、デジタル動画、バラエティ、アニメーション」の中から選択する。続いて、動画分数、すなわち１回あたりの放送時間を「５分、１０分、１５分、３０分、２分」の中から選択する。続いて、動画本数、すなわち放送回数を「１，３，５，１０，１５」の中から選択する。最後に出演者のレベルについて、「俳優Ａランク、俳優Ｂランク、広告主社員、一般公募」の中から選択する。以下、システムが提示する選択項目を順次選択していく。
【００４２】
これら選択肢をすべて選択すれば、広告費がだいたいどれくらいとなるかが算出され、番組制作打診者に提示する。提示された番組制作打診者は、予算をだいたいつかめることとなる。また、予算と大きくずれている場合には、前述の選択をもう一度やり直してみてもよいし、図示を省略するが「放送を受信できる端末装置を携帯電話に限る」といった選択をしたり、図５に示すシステムを活用することとしてもよい。
【００４３】
（図５）
図５は、予算および放送コンテンツについてのある程度の希望が決まっている場合に、他の項目を自動算出するシステムの概要を示すものである。提供される画面に従って、番組制作打診者が予算金額と最低１項目のメニューを選択することによって他の項目が自動算出されて提示される。
【００４４】
この図示例では、予算の他、表現形式についての「ノンフィクション」と、出演者について「広告主社員」であることをおおむね決定しているとする。例えば、自社の社員を活用して新製品開発秘話というノンフィクションを構想しているのである。そこで、「ノンフィクション」および「広告主社員」を入力する。すると本システムは、他の項目について、第一案と第二案とを自動算出した。第一案は、表現形式について「デジタル動画」である旨を、動画分数としては１０分を、動画本数としては３本をそれぞれ算出して提示した。なお、第二案は省略する。
【００４５】
以上のように、番組制作打診者が予算と、それ以外に譲りがたい番組構成とが決定しているものの、選択すべき他の項目については掴めていないことが多い。このような場合に、番組制作の依頼打診者の便宜に供することとなる。
【００４６】
【発明の効果】
請求項１から請求項４記載の発明によれば、広告主が制作費を拠出するインターネット放送において、放送番組の制作予算を番組制作打診者の要求に応じて概算算出するシステムを提供することができた。
また、請求項５から請求項７記載の発明によれば、放送番組の制作を番組制作依頼打診者の予算に応じて番組内容の概略を算出するシステムを提供することができた。
また、請求項８および請求項９記載の発明によれば、放送番組の制作予算を番組制作打診者の要求に応じて概算算出する方法を提供することができた。
また、請求項１０記載の発明によれば、放送番組の制作を番組制作依頼打診者の予算に応じて番組内容の概略を算出する方法を提供することができた。
【図面の簡単な説明】
【図１】本発明の全体構成を示す概念図である。
【図２】本発明の第一の実施形態における前半の手順を示す概念図である。
【図３】本発明の第一の実施形態における前半の手順を示す概念図である。
【図４】第二の実施形態を示す概念図である。
【図５】第三の実施形態を示す概念図である。
【図１】
2004318468.tif 000003
【図２】
2004318468.tif 000004
【図３】
2004318468.tif 000005
【図４】
2004318468.tif 000006
【図５】
2004318468.tif 000007